(57)【要約】【課題】  必要十分な防水性能をシーリング施工なしに実現することができる基礎通気防水構造を提供する。【解決手段】基礎通気防水構造１は、基礎の天端面２との間に床下換気経路５ａを開けて立設された壁フレーム３と、前記壁フレーム３に支持され、当該壁フレーム３と間に壁体内通気経路５ｂを形成する外壁パネル４と、前記壁フレーム３に固定される取付金具１０と、前記取付金具１０に連結され、前記壁フレーム３から間隔を開けて屋外側に配置され、下端に通気孔９３を有する基礎水切材９と、前記壁フレーム３の屋外側面に、当該壁フレーム３の下端から所定か高さまで設けられる捨て水切７と、前記捨て水切７の上端から上方に伸びる防水シート体１６と、を備え、前記防水シート体１６は、前記外壁パネル４の下端よりも上方に伸びる。【選択図】図１
2018062793.tif 000002
【特許請求の範囲】
【請求項１】
基礎の天端面との間に床下換気経路を開けて立設された壁フレームと、
前記壁フレームに支持され、当該壁フレームと間に壁体内通気経路を形成する外壁パネルと、
外壁パネルの下端部に設けられ下方に垂下する垂れ部と、
前記壁フレームに固定される取付金具と、
前記取付金具に連結され、下端に通気孔を有するとともに上端の屋内側端縁に立ち上がり部を有する基礎水切材と、
前記壁フレームの屋外側面に、当該壁フレームの下端から所定の高さまで設けられる捨て水切と、
を備える基礎通気防水構造であって、
前記立ち上がり部は前記垂れ部よりも屋内側に配置され、前記立ち上がり部の上端は前記垂れ部の下端よりも上方に配置されることを特徴とする基礎通気防水構造。
【請求項２】
前記垂れ部の下端は屋内方向に突出する下折部が形成されるとともに、前記立ち上がり部の上端は屋外方向に突出する突出部を形成することを特徴とする請求項１に記載の基礎通気防水構造。
【請求項３】
前記立ち上がり部の上端は屋外方向に突出する突出部を有しており、
前記突出部は、軟質樹脂により形成されることを特徴とする請求項１又は請求項２に記載の基礎通気防水構造。
【請求項４】
前記突出部は先端に向かって先細っており、前記垂れ部の屋内側の面に接触することを特徴とする請求項３に記載の基礎通気防水構造。
【請求項５】
前記立ち上がり部の下方に、前記通気孔に向かって下り勾配の水受け部が形成されることを特徴とする請求項１から請求項４のいずれかに記載の基礎通気防水構造。
【請求項６】
前記通気孔から導入された外気が基礎内に侵入する床下換気経路と、内外壁間の壁体内通気層に侵入する壁体内通気経路とを備え、
前記壁体内通気経路にメッシュ材が配置されることを特徴とする請求項１から請求項５のいずれかに記載の基礎通気防水構造。
【発明の詳細な説明】
【技術分野】
【０００１】
本発明は、基礎と外壁パネルの間に基礎水切材が設けられる基礎通気防水構造に関する。
【背景技術】
【０００２】
従来より、基礎に換気口を形成して、床下空間に空気を流通させて床下空間の湿気を外部に排出する技術が知られている。しかし、基礎に換気口を形成する場合には、基礎の強度低下を補うために換気口の周縁に特別な配筋が必要になり、又、コンクリート打設時に特別な型枠が必要になるなど施工が煩雑になる問題があった。
【０００３】
そこで近年では、基礎の天端面と外壁パネルの下端面との間に隙間を形成し、この隙間を床下換気経路として利用して床下空間の換気を図ることが行われている。また、外壁パネルの屋内側には、防湿などの目的で壁体内通気経路が設けられており、この壁体内通気経路は、基礎の天端面と外壁パネルの下端面との間から外壁パネルの屋内側に鉛直方向に設けられている。このような構造において、基礎の天端面と外壁パネルの下端面との間には、外壁パネルの屋外側を伝って流れる雨水や外気に含まれる雨水が、基礎の天端面と外壁パネルの下端面との間から屋内に浸入することを抑制するために基礎水切材が設けられている。
【０００４】
例えば特許文献１の基礎水切材は、その下端に通風用開口部が設けられて床下換気口に連通しているとともに、外壁パネルの下端面と基礎水切材との間隙が壁体内通気経路と連通している。外壁パネルの下端面と基礎水切材との間隙には立体網状材が配置されている。また、特許文献２の基礎水切材は、基礎水切材の下端に設けられた外気取入口が床下の通気路と壁体内の通気路とに連通している。さらに、特許文献３の床下換気構造は、基礎水切材の下端に設けられた換気口が床下換気経路に連通しており、基礎天端面の屋外端に基礎水切材の下端に装着されたシール部材のリップ部が密着する構成が記載されている。
【先行技術文献】
【特許文献】
【０００５】
【特許文献１】特開２００８−６３８３９号公報
【特許文献２】特開２０１４−１３９３７５号公報
【特許文献３】特開２０１０−１３３１７４号公報
【発明の概要】
【発明が解決しようとする課題】
【０００６】
しかし、特許文献１の構成は、外壁パネルの下端面と基礎水切材との間隙が壁体内通気経路の入り口となっており、立体網状材が配置されているだけであるので、外壁パネルの屋外側を伝って流れる雨水等が外壁パネルの下端で回りこんで、壁体内通気経路に侵入する外気とともに壁体内通気経路に侵入する場合に立体網状材のみでは侵入する雨水を捕捉しきれないおそれがある。
【０００７】
また、特許文献２の構成は、基礎水切材の屋外側の上端が外壁パネルの屋内側の面に当接しているが、外壁パネルの厚さには多少の精度誤差があるので、外壁パネルの寸法精度の誤差によって基礎水切材の上端が外壁パネルの屋内側に当接しない場合や外壁パネルと基礎水切材とが干渉して設置が基礎水切材の設置が困難となる場合があり、外気中に含まれる雨水が外気とともに壁体内通気経路に浸入するおそれがある。
【０００８】
そして、特許文献３は、上述のような問題がないように、外壁パネルと基礎水切材の上端との間を湿式のシーリング材及びコーキング材で処理している。しかし、シーリング等の処理を行う場合、シーリングの専門職による施工が必要であり、必要以上の防水性能にコストを掛けることとなり問題がある。
【０００９】
そこで本発明は、必要十分な防水性能をシーリング施工なしに実現することができる基礎通気防水構造を提供することを目的とする。
【課題を解決するための手段】
【００１０】
本発明の基礎通気防水構造は、基礎の天端面との間に床下換気経路を開けて立設された壁フレームと、前記壁フレームに支持され、当該壁フレームと間に壁体内通気経路を形成する外壁パネルと、外壁パネルの下端部に設けられ下方に垂下する垂れ部と、前記壁フレームに固定される取付金具と、前記取付金具に連結され、下端に通気孔を有するとともに上端の屋内側端縁に立ち上がり部を有する基礎水切材と、前記壁フレームの屋外側面に、当該壁フレームの下端から所定の高さまで設けられる捨て水切と、を備える基礎通気防水構造であって、前記立ち上がり部は前記垂れ部よりも屋内側に配置され、前記立ち上がり部の上端は前記垂れ部の下端よりも上方に配置されることを特徴としている。
【００１１】
本発明の基礎通気防水構造は、前記垂れ部の下端は屋内方向に突出する下折部が形成されるとともに、前記立ち上がり部の上端は屋外方向に突出する突出部を形成することを特徴としている。
【００１２】
本発明の基礎通気防水構造は、前記立ち上がり部の上端は屋外方向に突出する突出部を有しており、前記突出部は、軟質樹脂により形成されることを特徴としている。
【００１３】
本発明の基礎通気防水構造は、前記突出部は先端に向かって先細っており、前記垂れ部の屋内側の面に接触することを特徴としている。
【００１４】
本発明の基礎通気防水構造は、前記立ち上がり部の下方に、前記通気孔に向かって下り勾配の水受け部が形成されることを特徴としている。
【００１５】
本発明の基礎通気防水構造は、前記通気孔から導入された外気が基礎内に侵入する床下換気経路と、内外壁間の壁体内通気層に侵入する壁体内通気経路とを備え、前記壁体内通気経路にメッシュ材が配置されることを特徴としている。
【発明の効果】
【００１６】
本発明の基礎通気防水構造によると、外壁パネルの下端部に下方に垂下する垂れ部が形成されており、基礎水切材の上端の屋内側端縁に設けられる立ち上がり部が当該垂れ部よりも屋内側に配置されているので、外壁パネルの下端部と基礎水切材の上端部との間には垂れ部及び立ち上がり部の間の間隙が形成されることになる。したがって、立ち上がり部及び垂れ部を接近するように配置することで、雨水が通過する隙間を細くして、雨水等の浸入を抑制することができる。そして、垂れ部が設けられることで、製造時の精度の問題で外壁パネルの厚みなどに変化がある場合でも、垂れ部と立ち上がり部との間隙を一定に保つことができ、外壁パネルの寸法誤差に関係なく一定の防水性を保つことができる。
【００１７】
本発明の基礎通気防水構造によると、垂れ部の下端は屋内方向に突出する下折部を形成するとともに、立ち上がり部の上端は屋外方向に突出する突出部を形成するので、垂れ部と立ち上がり部との間の隙間は下折部及び突出部によってより間隙を小さくすることができるとともに、垂れ部及び立ち上がり部の間で下折部及び突出部の間の空間が複雑な経路となるので、侵入する外気の勢いを緩めて、外気とともに浸入する雨水をこの空間で止めることができる。また、立ち上がり部の上端に突出部が設けられていることで、この突出部が水返しとなって雨水の浸入をより抑制することができる。
【００１８】
本発明の基礎通気防水構造によると、立ち上がり部の上端に形成される突出部が、軟質樹脂により形成されるので、外壁パネルの寸法誤差で、垂れ部と突出部とが干渉する位置に配置された場合でも、突出部が変形して基礎水切材を適切な位置に収めることができる。
【００１９】
本発明の基礎通気防水構造によると、突出部は先端に向かって先細っており、垂れ部の屋内側の面に接触しているので、立ち上がり部と垂れ部との間の間隙が閉じられることとなり、外壁パネルの下端と基礎水切材の上端の間からの雨水の浸入をより抑制することができる。そして、突出部は軟質樹脂で先端が先細り形状であるので、外壁パネルの寸法誤差で垂れ部の位置が多少設計位置からずれている場合でも、突出部が容易に変形して垂れ部に当接できるので、基礎水切材を適切な位置に収めることができる。
【００２０】
本発明の基礎通気防水構造によると、立ち上がり部の下方に、通気孔に向かって下り勾配の水受け部が形成されているので、立ち上がり部を越えて浸入した雨水が立ち上がり部の屋内面を伝って流下した場合に、水受け部が当該流下した雨水を受けて通気孔に向かって流して屋外に排出することができる。
【００２１】
本発明の基礎通気防水構造によると、通気孔から導入された外気が基礎内に侵入する床下換気経路と、内外壁間の壁体内通気層に侵入する壁体内通気経路とを備え、壁体内通気経路にメッシュ材が配置されるので、外気に含まれる雨水が当該外気の侵入に伴って垂れ部と立ち上がり部との間の間隙を通過したとしても、基礎水切材の上端の高さで外気は通過するとともに雨水はメッシュ材に当って壁体内通気経路から壁体内通気層に浸入することを抑制できる。
【図面の簡単な説明】
【００２２】
【図１】第一実施形態の基礎通気防水構造の全体構成を示し、壁フレームと基礎水切材との固定を説明する一部省略断面図。
【図２】第一実施形態の基礎通気防水構造の全体構成を示し、壁フレームと外壁パネルとの固定を説明する一部省略断面図。
【図３】第二実施形態の基礎通気防水構造の全体構成を示す一部省略断面図。
【図４】第二実施形態の基礎通気防水構造であって、外壁パネルの寸法精度に誤差があって、突出部の先端が垂れ部と干渉する場合の基礎通気防水構造の全体構成を示す一部省略断面図。
【図５】第三実施形態の基礎通気防水構造の全体構成を示す一部省略断面図。
【図６】第四実施形態の基礎通気防水構造の全体構成を示す一部省略断面図。
【図７】第五実施形態の基礎通気防水構造の全体構成を示す一部省略断面図。
【発明を実施するための形態】
【００２３】
〔第一実施形態〕
以下、本発明に係る基礎通気防水構造１の第一実施形態について図１及び図２を参照しつつ説明する。本実施形態の基礎通気防水構造１は、基礎の外周の立ち上がり部の天端面２の上に間隔をあけて壁フレーム３が立設されており、この壁フレーム３に外壁パネル４が固定される建物に用いられる基礎通気防水構造１である。壁フレーム３は内側に向かって開口するＣ形鋼を組み合わせて矩形に形成されており、上弦材、左右柱材３ａ、及び下弦材３ｂで形成されている。壁フレーム３は、図示しないが、例えば基礎の立ち上がり部に下部が埋設されたアンカーにスペーサーとなる柱脚金物を介して固定されて立設されており、基礎の天端面２と壁フレーム３の下弦材３ｂとの間に建物の床下に連通する床下換気経路５ａが形成されている。
【００２４】
壁フレーム３と外壁パネル４との固定は、図２に示すように、壁フレーム３の下弦材３ｂの内側に支持される支持部６０、外壁パネル４の下端を受ける外壁受け部６１、及び、支持部６０と外壁受け部６１とを連結する連結部６２とにより構成される外壁荷重受け材６により外壁パネル４の鉛直荷重を受けている。支持部６０は、壁フレーム３の下弦材３ｂに受けられているボルト体６３と、ボルト体６３に固定されて側面視Ｌ字状に立ち上がるＬ状体６４とからなる。外壁受け部６１は、側面視Ｌ字状で底面部が外壁パネル４の下端に当接して外壁パネル４の荷重を受け、背面部６５が外壁パネル４の屋内側面に沿って立ち上がっている。連結部６２は例えば円柱形状で支持部６０のＬ状体６４と外壁受け部６１の背面部６５とを連結している。
【００２５】
なお、外壁パネル４は、図示しないが、外壁パネル４の高さ方向の中間部において壁フレーム３に固定された外壁支持金物によって外壁パネル４の屋外方向への移動を規制している。
【００２６】
壁フレーム３には、下弦材３ｂから所定の高さまでの屋外側を覆うように捨て水切７が、設けられる。捨て水切７は、下部が下弦材３ｂを挟み込んで固定されており、上部が壁フレーム３の屋外側に立ち上がる平板状に形成されている。捨て水切７には、中間部に屋外方向に突出する突出ひれ１６が設けられている。この突出ひれ１６によって、壁体内通気経路５ｂの一部を狭くして、床下換気経路５ａとへ壁体内通気経路５ｂとの通気抵抗のバランスを取っている。
【００２７】
外壁パネル４は、矩形の平板であり、屋外側に凹凸で模様が形成されている。外壁パネル４の下端には屋内側が凹むように段差部４０が形成されている。外壁パネル４の下端部には下方に垂下する垂れ部８が設けられており、垂れ部８の下端には屋内方向に突出する下折部８１が形成されている。垂れ部８は外壁パネル４の段差部４０に固定されて段差部４０の下面から垂れ下がっている。
【００２８】
基礎通気防水構造１は、基礎の立ち上がり部と外壁パネル４との間に基礎水切材９が設けられている。基礎水切材９は、壁フレーム３に固定される取付金具１０によって固定されている。取付金具１０は、図１に示すように、壁フレーム３の下弦材３ｂを挟んで固定されるクリップ部１１と、クリップ部１１の屋内側に設けられる固定部１２と、固定部１２にねじ１３で固定されるとともに屋外方向に突出して基礎水切材９を支持する基礎水切保持部１４とからなる。なお、図１においては、図示の都合で捨て水切７の記載を省略している。また、捨て水切７の下弦材３ｂを挟み込む下部と取付金具１０のクリップ部１１とは、下弦材３ｂの長さ方向で互いに干渉しない異なる位置に配置されている。
【００２９】
基礎水切材９は、建物の基礎の外周の立ち上がりの全面に亘って設けられる長手材である。基礎水切材９の上面は、屋外方向に下り勾配の勾配部９０が形成されており、屋内側の端部が鉛直方向に立ち上がる立ち上がり部９１を形成している。立ち上がり部９１の上端には屋外方向に突出する突出部９２が形成されている。基礎水切材９の屋外側の面は、上部及び下部が屋外方向に突出し、中間部が屋内方向に凹んだ形状となっている。また基礎水切材９の下端面に通気孔９３が形成されており、基礎水切材９の下端の屋内側には基礎の天端面２の縁と当接するひれ部９４が形成されている。なお、基礎水切材９の通気孔９３は外気を通過させることができればよく、例えば虫除けの網が張られていてもよい。
【００３０】
基礎水切材９は下端の屋内側のひれ部９４の上には、上方に立ち上がる屋内壁部９５を形成している。通気孔９３から流入する外気は基礎水切材９の屋外側の面と屋内壁部９５との間を上方に向かって通過し、基礎水切材９の上面の勾配部９０に当って床下換気経路５ａ及び壁体内通気経路５ｂに導入される。屋内壁部９５の上端は、屋外側に折り返される折り返し部９６が形成されており、基礎水切材９の下端面の通気孔９３から侵入する外気に含まれる雨水の一部をこの折り返し部９６で捕捉して、雨水の浸入を抑制している。
【００３１】
本実施形態の基礎通気防水構造１によると、外壁パネル４の垂れ部８と基礎水切材９の立ち上がり部９１とは互いに平行に配置されており、立ち上がり部９１上端の突出部９２と垂れ部８下端の下折部８１とが互いに接近方向に突出している。これによって、外壁パネル４の下端部と基礎水切材９の上面との間の隙間を細くして、当該隙間からの雨水等の浸入を抑制することができる。しかも、外壁パネル４に垂れ部８が設けられることで、外壁パネル４が成形や養生の際に設計寸法との誤差が生じても、垂れ部８と立ち上がり部９１との間隙で誤差を吸収することができ、一定の防水性を保つことができる。また、垂れ部８と立ち上がり部９１との間の隙間は下折部８１及び突出部９２によってより間隙を小さくすることができ、垂れ部８及び立ち上がり部９１の間で下折部８１及び突出部９２の間の空間が複雑な経路となるので、侵入する外気の勢いを緩めて、外気とともに浸入する雨水をこの空間で止めることができる。また、立ち上がり部９１の上端に突出部９２が設けられていることで、この突出部９２が水返しとなって雨水の浸入をより抑制することができる。
【００３２】
以上のように、本実施形態の基礎通気防水構造１によると、外壁パネル４の下端面と基礎水切材９の上面との間を湿式のシーリング剤でシールしないので、シーリング処理に係るコストや手間を省くことができ、尚且つ、シーリング処理をしなくとも基礎水切材９に求められるレベルの防水性を達成することができる。
【００３３】
〔第二実施形態〕
次に、本発明に係る基礎通気防水構造１の第二実施形態について図３及び図４を参照しつつ説明する。なお、第一実施形態と同様の構成については同一の符号を付して説明を省略する。第二実施形態の基礎通気防水構造１は、基礎の外周の立ち上がり部の天端面２の上に間隔をあけて壁フレーム３が立設されており、この壁フレーム３に外壁パネル４が固定される建物に用いられている。基礎の外周の立ち上がり部、壁フレーム３、及び捨て水切７の構成は第一実施形態と同様であるので説明を省略する。また、壁フレーム３への外壁パネル４の固定構造、及び壁フレーム３への基礎水切材９の固定構造は第一実施形態と同様であるので説明を省略する。
【００３４】
外壁パネル４は、第一実施形態と同様に、矩形の平板であり、屋外側に凹凸で模様が形成されておいる。外壁パネル４の下端には屋内側が凹むように段差部４０が形成されている。外壁パネル４の下端部には下方に垂下する垂れ部８が設けられている。本実施形態においては、垂れ部８の下端に下折部８１が形成されていない。垂れ部８は外壁パネル４の段差部４０に固定されて段差部４０の下面から垂れ下がっている。
【００３５】
基礎の立ち上がり部と外壁パネル４との間に設けられる基礎水切材９は、壁フレーム３に固定される取付金具１０によって固定されている。取付金具１０の構成は第一実施形態と同様であるので説明を省略する。
【００３６】
基礎水切材９の上面は、屋外方向に下り勾配の勾配部９０が形成されており、屋内側の端部が鉛直方向に立ち上がる立ち上がり部９１を形成している。立ち上がり部９１の上端には屋外方向に突出する突出部９２が形成されている。本実施形態における突出部９２は軟質樹脂により形成されている。基礎水切材９の屋外側の面、下端面、及び屋内側のひれ部９４などの構成は、第一実施形態と同様であるので説明を省略する。
【００３７】
本実施形態の基礎通気防水構造１によると、外壁パネル４の垂れ部８に向かって、軟質樹脂の突出部９２が突出しており、垂れ部８との間に少しの隙間が設けられている。このように、突出部９２が、軟質樹脂により形成されるので、外壁パネルの寸法誤差で、垂れ部８と突出部９２とが干渉する位置に配置された場合でも、図４に示すように、突出部９２が変形して基礎水切材９を適切な位置に収めることができる。
【００３８】
〔第三実施形態〕
次に、本発明に係る基礎通気防水構造１の第三実施形態について図５を参照しつつ説明する。この第三実施形態は、基礎水切材９の立ち上がり部の上端に形成された突出部９２の構成及び配置が第二実施形態と異なる他は、第二実施形態と同様の構成であるので、第二実施形態と同様の構成は同一の符号を付して説明を省略する。
【００３９】
第三実施形態の突出部９２は、軟質樹脂により形成されており、先端に向かって先細っており、垂れ部８の屋内側の面に接触するように構成されている。したがって、突出部９２は容易に変形することができ、外壁パネル４の寸法誤差で垂れ部８の位置が多少設計位置からずれている場合でも、突出部９２が容易に変形して垂れ部８に当接できるので、基礎水切材９を適切な位置に収めることができる。そして、突出部９２は先端が垂れ部８の屋内側の面に接触することで、立ち上がり部９１と垂れ部８との間の間隙が閉じられることとなり、外壁パネル４の下端と基礎水切材９の上端の間からの雨水の浸入をより抑制することができる。
【００４０】
〔第四実施形態〕
次に、本発明に係る基礎通気防水構造１の第四実施形態について図６を参照しつつ説明する。この第四実施形態の基礎通気防水構造１は、第一実施形態と屋内壁部９５の構成以外は、同様の構成であるので、第一実施形態と同様の構成については、同一の符号を付して説明を省略する。本実施形態では、第一実施形態と同様に、基礎水切材９の下端の屋内側には基礎の天端面２の縁と当接するひれ部９４が形成されている。そして、基礎水切材９は下端の屋内側のひれ部９４の上には、上方に立ち上がる屋内壁部９５を形成している。この屋内壁部９５の上端には、通気孔９３に向かって下り勾配の水受け部９７が形成されている。
【００４１】
水受け部９７は、その上方に基礎水切材９の立ち上がり部９１が配置されており、外壁パネル４と基礎水切材９の間を通過して屋内側に入り込んだ雨水のうち、立ち上がり部９１の屋内面に水滴状に付着した雨水が、当該立ち上がり部９１の屋内面を伝って流下する場合に、立ち上がり部９１の下方で、水受け部９７が当該流下した雨水を受けて通気孔９３に向かって流し屋外に排出することができる。
【００４２】
〔第五実施形態〕
次に、第五実施形態について図７を参照しつつ説明する。第五実施形態は、外壁パネル４と壁フレーム３との間にメッシュ材１５が配置される他は、第一実施形態と同様の構成であるので、同一の符号を付して説明を省略する。本実施形態の基礎通気防水構造１は、外壁パネル４と壁フレーム３との間にメッシュ材１５が挟まれるように配置されており、メッシュ材１５は、少なくとも基礎水切材９の上端と同じ高さの位置に配置されている。メッシュ材１５は、空気を通過させることができる多数の孔が設けられるシート状であり、網状に限定されるものではない。なお、捨て水切７の中間部には屋外側に突出する突出ひれ１６が形成されているので、メッシュ材１５が落下することを防止することができる。
【００４３】
外壁パネル４と捨て水切７との間は壁体内通気経路５ｂの入り口となっており、この位置にメッシュ材１５が設けられることで、外壁パネル４と基礎水切材９の間、及び基礎水切材９の通気孔９３から侵入する外気はメッシュ材１５の多数の孔から壁体内通気経路５ｂ内に侵入することができるが、強風時にはメッシュ材１５によって侵入する風の勢いを弱めることで、侵入した外気に含まれる雨水を捕捉して、壁体内通気経路５ｂへの雨水の浸入を抑制できる。
【００４４】
なお、本発明の実施の形態は上述の形態に限ることなく、本発明の思想の範囲を逸脱しない範囲で適宜変更することができることは云うまでもない。
【産業上の利用可能性】
【００４５】
本発明に係る基礎通気防水構造１は、例えば住宅の基礎の外周の立ち上がり部と外壁パネル４との間に設けられる構造として好適に用いることができる。
【符号の説明】
【００４６】
１      基礎通気防水構造
２      天端面
３      壁フレーム
４      外壁パネル
５ａ    床下換気経路
５ｂ    壁体内通気経路
６      外壁荷重受け材
７      捨て水切
８      垂れ部
９      基礎水切
１５    メッシュ材
６２    連結部
８１    下折れ部
９１    立ち上がり部
９２    突出部
９７    水受け部
【図１】
2018062793.tif 000003
【図２】
2018062793.tif 000004
【図３】
2018062793.tif 000005
【図４】
2018062793.tif 000006
【図５】
2018062793.tif 000007
【図６】
2018062793.tif 000008
【図７】
2018062793.tif 000009
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
基礎の天端面との間に床下換気経路を開けて立設された壁フレームと、
前記壁フレームに支持され、当該壁フレームとの間に壁体内通気経路を形成する外壁パネルと、
外壁パネルの下端部に設けられ下方に垂下する垂れ部と、
前記壁フレームに固定される取付金具と、
前記取付金具に連結され、下端に通気孔を有するとともに上端の屋内側端縁に立ち上がり部を有する基礎水切材と、
前記壁フレームの屋外側面に、当該壁フレームの下端から所定の高さまで設けられる捨て水切と、
を備える基礎通気防水構造であって、
前記立ち上がり部は前記垂れ部よりも屋内側に配置され、前記立ち上がり部の上端は前記垂れ部の下端よりも上方に配置され、
前記垂れ部の下端は屋内方向に突出する下折部が形成されるとともに、前記立ち上がり部の上端は屋外方向に突出する突出部を形成することを特徴とする基礎通気防水構造。
【請求項２】
基礎の天端面との間に床下換気経路を開けて立設された壁フレームと、
前記壁フレームに支持され、当該壁フレームとの間に壁体内通気経路を形成する外壁パネルと、
外壁パネルの下端部に設けられ下方に垂下する垂れ部と、
前記壁フレームに固定される取付金具と、
前記取付金具に連結され、下端に通気孔を有するとともに上端の屋内側端縁に立ち上がり部を有する基礎水切材と、
前記壁フレームの屋外側面に、当該壁フレームの下端から所定の高さまで設けられる捨て水切と、
を備える基礎通気防水構造であって、
前記立ち上がり部は前記垂れ部よりも屋内側に配置され、前記立ち上がり部の上端は前記垂れ部の下端よりも上方に配置され、
前記立ち上がり部の上端は屋外方向に突出する突出部を有しており、
前記突出部は、軟質樹脂により形成されることを特徴とする基礎通気防水構造。
【請求項３】
前記突出部は先端に向かって先細っており、前記垂れ部の屋内側の面に接触することを特徴とする請求項２に記載の基礎通気防水構造。
【請求項４】
基礎の天端面との間に床下換気経路を開けて立設された壁フレームと、
前記壁フレームに支持され、当該壁フレームとの間に壁体内通気経路を形成する外壁パネルと、
外壁パネルの下端部に設けられ下方に垂下する垂れ部と、
前記壁フレームに固定される取付金具と、
前記取付金具に連結され、下端に通気孔を有するとともに上端の屋内側端縁に立ち上がり部を有する基礎水切材と、
前記壁フレームの屋外側面に、当該壁フレームの下端から所定の高さまで設けられる捨て水切と、
を備える基礎通気防水構造であって、
前記立ち上がり部は前記垂れ部よりも屋内側に配置され、前記立ち上がり部の上端は前記垂れ部の下端よりも上方に配置され、
前記立ち上がり部の下方に、前記通気孔に向かって下り勾配の水受け部が形成されることを特徴とする基礎通気防水構造。
【請求項５】
基礎の天端面との間に床下換気経路を開けて立設された壁フレームと、
前記壁フレームに支持され、当該壁フレームとの間に壁体内通気経路を形成する外壁パネルと、
外壁パネルの下端部に設けられ下方に垂下する垂れ部と、
前記壁フレームに固定される取付金具と、
前記取付金具に連結され、下端に通気孔を有するとともに上端の屋内側端縁に立ち上がり部を有する基礎水切材と、
前記壁フレームの屋外側面に、当該壁フレームの下端から所定の高さまで設けられる捨て水切と、
を備える基礎通気防水構造であって、
前記立ち上がり部は前記垂れ部よりも屋内側に配置され、前記立ち上がり部の上端は前記垂れ部の下端よりも上方に配置され、
前記通気孔から導入された外気が基礎内に侵入する床下換気経路と、内外壁間の壁体内通気層に侵入する壁体内通気経路とを備え、
前記壁体内通気経路にメッシュ材が配置されることを特徴とする基礎通気防水構造。
【手続補正２】
【補正対象書類名】明細書
【補正対象項目名】００１０
【補正方法】変更
【補正の内容】
【００１０】
本発明の基礎通気防水構造は、基礎の天端面との間に床下換気経路を開けて立設された壁フレームと、前記壁フレームに支持され、当該壁フレームとの間に壁体内通気経路を形成する外壁パネルと、外壁パネルの下端部に設けられ下方に垂下する垂れ部と、前記壁フレームに固定される取付金具と、前記取付金具に連結され、下端に通気孔を有するとともに上端の屋内側端縁に立ち上がり部を有する基礎水切材と、前記壁フレームの屋外側面に、当該壁フレームの下端から所定の高さまで設けられる捨て水切と、を備える基礎通気防水構造であって、前記立ち上がり部は前記垂れ部よりも屋内側に配置され、前記立ち上がり部の上端は前記垂れ部の下端よりも上方に配置され、前記垂れ部の下端は屋内方向に突出する下折部が形成されるとともに、前記立ち上がり部の上端は屋外方向に突出する突出部を形成することを特徴としている。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
本発明の基礎通気防水構造は、基礎の天端面との間に床下換気経路を開けて立設された壁フレームと、前記壁フレームに支持され、当該壁フレームとの間に壁体内通気経路を形成する外壁パネルと、外壁パネルの下端部に設けられ下方に垂下する垂れ部と、前記壁フレームに固定される取付金具と、前記取付金具に連結され、下端に通気孔を有するとともに上端の屋内側端縁に立ち上がり部を有する基礎水切材と、前記壁フレームの屋外側面に、当該壁フレームの下端から所定の高さまで設けられる捨て水切と、を備える基礎通気防水構造であって、前記立ち上がり部は前記垂れ部よりも屋内側に配置され、前記立ち上がり部の上端は前記垂れ部の下端よりも上方に配置され、前記立ち上がり部の上端は屋外方向に突出する突出部を有しており、前記突出部は、軟質樹脂により形成されることを特徴としている。
【手続補正５】
【補正対象書類名】明細書
【補正対象項目名】００１４
【補正方法】変更
【補正の内容】
【００１４】
本発明の基礎通気防水構造は、基礎の天端面との間に床下換気経路を開けて立設された壁フレームと、前記壁フレームに支持され、当該壁フレームとの間に壁体内通気経路を形成する外壁パネルと、外壁パネルの下端部に設けられ下方に垂下する垂れ部と、前記壁フレームに固定される取付金具と、前記取付金具に連結され、下端に通気孔を有するとともに上端の屋内側端縁に立ち上がり部を有する基礎水切材と、前記壁フレームの屋外側面に、当該壁フレームの下端から所定の高さまで設けられる捨て水切と、を備える基礎通気防水構造であって、前記立ち上がり部は前記垂れ部よりも屋内側に配置され、前記立ち上がり部の上端は前記垂れ部の下端よりも上方に配置され、前記立ち上がり部の下方に、前記通気孔に向かって下り勾配の水受け部が形成されることを特徴としている。
【手続補正６】
【補正対象書類名】明細書
【補正対象項目名】００１５
【補正方法】変更
【補正の内容】
【００１５】
本発明の基礎通気防水構造は、基礎の天端面との間に床下換気経路を開けて立設された壁フレームと、前記壁フレームに支持され、当該壁フレームとの間に壁体内通気経路を形成する外壁パネルと、外壁パネルの下端部に設けられ下方に垂下する垂れ部と、前記壁フレームに固定される取付金具と、前記取付金具に連結され、下端に通気孔を有するとともに上端の屋内側端縁に立ち上がり部を有する基礎水切材と、前記壁フレームの屋外側面に、当該壁フレームの下端から所定の高さまで設けられる捨て水切と、を備える基礎通気防水構造であって、前記立ち上がり部は前記垂れ部よりも屋内側に配置され、前記立ち上がり部の上端は前記垂れ部の下端よりも上方に配置され、前記通気孔から導入された外気が基礎内に侵入する床下換気経路と、内外壁間の壁体内通気層に侵入する壁体内通気経路とを備え、前記壁体内通気経路にメッシュ材が配置されることを特徴としている。